(57)【要約】【課題】簡単な構成でありながら、組立が容易でバージン性もあり、底抜けも起こさない折畳み式カートンを提供すること。【解決手段】折り畳まれたブランクを起こして形成される角筒状の胴部を備えており、底部における相対する二辺にサイドフラップ３１，３２がそれぞれ連設され、その間の一辺に底面パネル３３が連設され、底面パネル３３の先端に背面フラップ３４が連設されており、両方のサイドフラップ３１，３２を内側に折り曲げ、それらを覆うように底面パネル３３を折り曲げると同時に背面フラップ３４をカートン内に差し込み、差し込んだ背面フラップ３４をサイドフラップ３１，３２の上に倒して底部を閉鎖する。底面パネル３３とそれに連設した背面フラップ３４の間にサイドフラップ３１，３２が挟まれた状態になるので底抜けを起こさない。【選択図】図３
2016030636.tif 000002
【特許請求の範囲】
【請求項１】
背面パネル、左側面パネル、正面パネルおよび右側面パネルからなる角筒状の胴部を備えており、左側面パネルと右側面パネルの下辺にサイドフラップがそれぞれ連設され、背面パネルの下辺に底面パネルが連設され、底面パネルの先端に背面フラップが連設されており、両方のサイドフラップを内側に折り曲げ、それらを覆うように底面パネルを折り曲げると同時に背面フラップをカートン内に差し込み、差し込んだ背面フラップをサイドフラップの上に倒して底部を閉鎖したことを特徴とする折畳み式カートン。
【請求項２】
背面パネルの下部に切込み線が設けられており、倒した背面フラップの先端部分がその切込み線に嵌まることで背面フラップが係止するようになっていることを特徴とする請求項１に記載の折畳み式カートン。
【請求項３】
背面パネル、左側面パネル、正面パネルおよび右側面パネルからなる角筒状の胴部を備えており、左側面パネルと右側面パネルの下辺にサイドフラップがそれぞれ連設され、背面パネルの下辺に底面パネルが連設され、底面パネルの先端に差込みフラップが連設され、正面パネルの下辺に正面フラップが連設されており、正面フラップを内側に折り返した状態としてから、両方のサイドフラップを内側に折り曲げ、それらを覆うように底面パネルを折り曲げると同時に差込みフラップをカートン内に差し込み、折り返してある正面フラップを差込みフラップとともにサイドフラップの上に倒して底部を閉鎖したことを特徴とする折畳み式カートン
【請求項４】
背面パネルの下部に切込み線が設けられており、倒した正面フラップの先端部分がその切込み線に嵌まることで正面フラップが係止するようになっていることを特徴とする請求項３に記載の折畳み式カートン。
【発明の詳細な説明】
【技術分野】
【０００１】
本発明は、板紙やプラスチックシートなどからなるカートンの技術分野に属し、詳しくは、平らに折り畳まれており、内容物を充填するときなど使用時に起こして用いる折畳み式カートンに関するものである。
【背景技術】
【０００２】
従来より、この種の折畳み式カートンは、機能、形状、サイズ等でいろいろな変化があり多種多様のものが使用されている。とくに、折り畳まれたブランクを角筒状に起こしてから開口している底部や上部を閉じて箱の形にするタイプでは、その底部の形式が色々と考えられており、中でも組立が容易なものとして、例えば特許文献１，２に記載のものが知られている。
【０００３】
特許文献１に記載のものは、オートマチックロックボトムカートンである。このタイプのカートンは、対向する四角のボトムフラップの一角に三角状の折返し片を区画し、これを折り返して隣接する三角のボトムフラップに糊付けした状態でブランクを折り畳んでおくもので、使用に際してこの折り畳んだブランクを角筒状に起こすと、胴部の一方に自動的に底パネルが形成されるようになっている。各フラップの形状はこの機能があれば制約されない。
【０００４】
特許文献２に記載のものは、セミオートマチックロックボトムカートンである。このタイプのカートンは、角筒の端縁から延出された４つのロック式フラップを備えており、使用に際してこれら４つのロック式フラップが内側に折り曲げられ、重なり合う状態で係合することで端面が形成されるようになっている。
【先行技術文献】
【特許文献】
【０００５】
【特許文献１】特開平８−８０９３６号公報
【特許文献２】特開２００８−１２７０６５号公報
【発明の概要】
【発明が解決しようとする課題】
【０００６】
上記した前者のオートマチックロックボトムカートンは、たしかに組立が容易ではあるが、底部での糊貼りを必要とするため寸法や形状に制限があり、また底部が５枚重ねとなるので圧跡が出るし、保管時に嵩張るといった問題もある。また、後者のセミオートマチックロックボトムカートンは、中身の重量がかかる底部として使用すると、強度が不足して底抜けを起こしやすいし、またバージン性がないといった問題もある。また、一般的なサック箱に差込み片を組み合わせたいわゆる折りロック付きサックは、小片をスリットに差し込むので組立の作業性が悪く、バージン性がないという問題もある。
【０００７】
本発明は、このような問題点に鑑みてなされたものであり、その目的とするところは、簡単な構成でありながら、組立が容易でバージン性もあり、底抜けも起こさない折畳み式カートンを提供することにある。
【課題を解決するための手段】
【０００８】
上記の目的を達成するため、本発明の折畳み式カートンは、折り畳まれたブランクを起こして形成される角筒状の胴部を備えており、底部における相対する二辺にサイドフラップがそれぞれ連設され、その間の一辺に底面パネルが連設され、底面パネルの先端に背面フラップが連設されており、両方のサイドフラップを内側に折り曲げ、それらを覆うように底面パネルを折り曲げると同時に背面フラップをカートン内に差し込み、差し込んだ背面フラップをサイドフラップの上に倒して底部を閉鎖したことを特徴とする。
【０００９】
この折畳み式カートンは、差し込んだ背面フラップを内側に折り曲げてあるサイドフラップの上に倒すだけでよいので組立が容易であり、底面パネルとそれに連設した背面フラップの間にサイドフラップが挟まれた状態になるので底抜けを起こさない。
【００１０】
そして、背面パネルの下部に切込み線が設けられており、倒した背面フラップの先端部分がその切込み線に嵌まることで背面フラップが係止するように構成するとよい。このように構成することで、背面フラップを倒すだけでロックが掛かり、底部を簡単に閉鎖状態とすることができる。
【００１１】
また、上記の目的を達成するため、本発明の折畳み式カートンは、折り畳まれたブランクを起こして形成される角筒状の胴部を備えており、底部における相対する二辺にサイドフラップがそれぞれ連設され、その間の一辺に底面パネルが連設され、底面パネルの先端に差込みフラップが連設され、残る一辺に正面フラップが連設されており、正面フラップを内側に折り返した状態としてから、両方のサイドフラップを内側に折り曲げ、それらを覆うように底面パネルを折り曲げると同時に差込みフラップをカートン内に差し込み、折り返してある正面フラップを差込みフラップとともにサイドフラップの上に倒して底部を閉鎖したことを特徴とする。
【００１２】
この折畳み式カートンは、折り返してある正面フラップを内側に折り曲げてあるサイドフラップの上に倒すだけでよいので組立が容易であり、底面パネルと正面パネルの間にサイドフラップと差込みフラップとが挟まれた状態になるので底抜けを起こさない。
【００１３】
そして、背面パネルの下部に切込み線が設けられており、倒した正面フラップの先端部分がその切込み線に嵌まることで正面フラップが係止するように構成するとよい。このように構成することで、正面フラップを倒すだけでロックが掛かり、底部を簡単に閉鎖状態とすることができる。
【発明の効果】
【００１４】
本発明の折畳み式カートンは、通常の折畳み式カートンと変わらない構成であり、組立が簡単でバージン性もあって、底抜けを起こすこともない。
【図面の簡単な説明】
【００１５】
【図１】本発明に係る第１のタイプの折畳み式カートンを組み立てるブランクの展開図である。
【図２】図１のブランクを組み立てて胴部を形成した状態を示す斜視図である。
【図３】底部を閉鎖する途中の状態を示す斜視図である。
【図４】底部を閉鎖した状態を示す斜視図である。
【図５】底部に加え上部も閉鎖した状態を示す斜視図である。
【図６】第１のタイプの折畳み式カートンの変形例を組み立てるブランクの展開図である。
【図７】図６のブランクを組み立てた状態を示す斜視図である。
【図８】本発明に係る第２のタイプの折畳み式カートンを組み立てるブランクの展開図である。
【図９】図６のブランクを組み立てて胴部を形成した状態を示す斜視図である。
【図１０】胴部の底部を閉鎖する途中の状態を示す斜視図である。
【図１１】胴部の底部を閉鎖する途中の状態を示す斜視図である。
【図１２】胴部の底部を閉鎖した状態を示す斜視図である。
【図１３】胴部の底部に加え上部も閉鎖した状態を示す斜視図である。
【発明を実施するための形態】
【００１６】
次に、本発明の実施形態について図面を参照しながら詳細に説明する。
【００１７】
本発明に係る折畳み式カートンは２タイプあり、そのうちの第１のタイプは、図１のブランクを組み立てて形成される（図５参照）。この折畳み式カートンは、角筒状で縦長の外観形状をしており、例えば、酒類や調味料などが入ったボトルを収納するのに好適に用いられる。
【００１８】
図１のブランクは、板紙を打ち抜いて形成されたもので、同図に示すように、縦方向の折り線を介して背面パネル１１、左側面パネル１２、正面パネル１３および右側面パネル１４がこの順で連設され、背面パネル１１の反対側に折り線を介して糊代片１５が連設されている。左側面パネル１２と右側面パネル１４の上辺には折り線を介してサイドフラップ２１，２２がそれぞれ連設され、正面パネル１３の上辺には折り線を介して天面パネル２３が連設され、その先端に折り線を介して差込みフラップ２４が連設されている。また、左側面パネル１２と右側面パネル１４の下辺には折り線を介してサイドフラップ３１，３２がそれぞれ連設され、背面パネル１１の下辺には折り線を介して底面パネル３３が連設され、その先端に折り線を介して背面フラップ３４が連設されている。
【００１９】
このブランクを組み立てる手順は次のようである。まず、糊代片１５を右側面パネル１４に貼り合わせてサック貼り状態でブランクを折り畳む。そして、この折り畳まれたブランクを角筒状に起こす。これにより、図２に示すように、背面パネル１１、左側面パネル１２、正面パネル１３および右側面パネル１４により角筒状の胴部が形成される。このように胴部を形成した後、その底部を閉鎖する。
【００２０】
底部を閉鎖するには、図３に示すように、両方のサイドフラップ３１，３２を内側に折り曲げてから、それらを覆うように底面パネル３３を折り曲げると同時に背面フラップ３４をカートン内に差し込み、続いて、差し込んだ背面フラップ３４をサイドフラップ３１，３２の上に倒すことにより図４に示すように閉鎖状態とする。倒した背面フラップ３４はサイドフラップ３１，３２に糊付けしておくとよい。あるいは、背面フラップ３４に折り癖を付けておき、内容物を入れるときにその底を利用して背面フラップ３４を押し倒すようにしてもよい。
【００２１】
図４のように底部を閉鎖した後、内容物を投入してから図５に示すように上部を閉鎖する。すなわち、両方のサイドフラップ２１，２２を内側に折り曲げてから、それらを覆うように天面パネル２３を折り曲げると同時に差込みフラップ２４をカートン内に差し込むことで上部を閉鎖する。
【００２２】
このように組み立てた折畳み式カートンは、差し込んだ背面フラップ３４を内側に折り曲げてあるサイドフラップ３１，３２の上に倒すだけでよいので組立が容易である。そして、底面パネル３３とそれに連設した背面フラップ３４の間にサイドフラップ３１，３２が挟まれた状態になるので底抜けを起こさない。
【００２３】
図６に示すブランクは、図１のブランクにおいて、背面パネル１１の下部中央に切込み線αを設けるとともに、背面フラップ３４の三角状の先端を少し長くしてある。この切込み線αは、背面パネル１１と底面パネル３３の境界線のところから、背面パネル１１側に僅かに突き出るように設けてあるので、底面パネル３３を折り曲げると背面パネル１１の下部中央に隙間ができる。
【００２４】
そして、このブランクを組み立てて、胴部の底部を閉鎖するに際し、背面フラップ３４をサイドフラップ３１，３２の上に倒すと、図７に示すように、背面フラップ３４の先端部分が切込み線αに嵌まり、背面フラップ３４が係止する。このように、背面フラップ３４を倒すだけでロックが掛かるので、底部を簡単に閉鎖状態とすることができる。
【００２５】
本発明に係る折畳み式カートンの第２のタイプは、図８のブランクを組み立てて形成される（図１３参照）。この折畳み式カートンも、角筒状で縦長の外観形状をしており、例えば、酒類や調味料などが入ったボトルを収納するのに好適に用いられる。なお、図８のブランクは図１のブランクと一部が異なるだけであるので、同様の部位には同じ符号を付してある。
【００２６】
図８のブランクは、板紙を打ち抜いて形成されたもので、同図に示すように、縦方向の折り線を介して背面パネル１１、左側面パネル１２、正面パネル１３および右側面パネル１４がこの順で連設され、背面パネル１１の反対側に折り線を介して糊代片１５が連設されている。左側面パネル１２と右側面パネル１４の上辺には折り線を介してサイドフラップ２１，２２がそれぞれ連設され、正面パネル１３の上辺には折り線を介して天面パネル２３が連設され、その先端に折り線を介して差込みフラップ２４が連設されている。また、左側面パネル１２と右側面パネル１４の下辺には折り線を介してサイドフラップ３１，３２がそれぞれ連設され、背面パネル１１の下辺には折り線を介して底面パネル３３が連設され、その先端に折り線を介して差込みフラップ３５が連設され、正面パネル１３の下辺には折り線を介して正面フラップ３６が連設されている。
【００２７】
このブランクを組み立てる手順は次のようである。まず、糊代片１５を右側面パネル１４に貼り合わせてサック貼り状態でブランクを折り畳む。そして、この折り畳まれたブランクを角筒状に起こす。これにより、図９に示すように、背面パネル１１、左側面パネル１２、正面パネル１３および右側面パネル１４により角筒状の胴部が形成される。このように胴部を形成した後、その底部を閉鎖する。
【００２８】
底部を閉鎖するには、図１０に示すように、正面フラップ３６を内側に折り返した状態としてから、図１１に示すように、両方のサイドフラップ３１，３２を内側に折り曲げる。そして、それらを覆うように底面パネル３３を折り曲げると同時に差込みフラップ３５をカートン内に差し込み、続いて、差し込んだ正面フラップ３６を差込みフラップ３５とともにサイドフラップ３１，３２の上に倒すことにより図１２に示すように閉鎖状態とする。このように底部を閉鎖すると、折り曲げられた差込みフラップ３５の上に正面フラップ３６が重なるので、前面パネル１３と底面パネル３３の間に隙間が生じない。倒した正面フラップ３６はサイドフラップ３１，３２に糊付けしておくとよい。あるいは、正面フラップ３６に折り癖を付けておき、内容物を入れるときにその底を利用して正面フラップ３６を押し倒すようにしてもよい。
【００２９】
図１２のように底部を閉鎖した後、内容物を投入してから図１３に示すように上部を閉鎖する。すなわち、両方のサイドフラップ２１，２２を内側に折り曲げてから、それらを覆うように天面パネル２３を折り曲げると同時に差込みフラップ２４をカートン内に差し込むことで上部を閉鎖する。
【００３０】
このように組み立てた折畳み式カートンは、折り返してある正面フラップ３５を内側に折り曲げてあるサイドフラップ３１，３２の上に倒すだけでよいので組立が容易である。そして、底面パネル３３と正面フラップ３６の間にサイドフラップ３１，３２と差込みフラップ３５とが挟まれた状態になるので底抜けを起こさない。
【００３１】
この第２のタイプの折畳み式カートンにおいても、図６のブランクの場合と同様の構成を採ることができる。すなわち、図８のブランクにおいて、背面パネル１１の下部中央に切込み線αを設けるとともに、正面フラップ３６の三角状の先端を少し長くするように構成してもよい。この切込み線αも、背面パネル１１と底面パネル３３の境界線のところから、背面パネル１１側に僅かに突き出るように設けておき、底面パネル３３を折り曲げたときに背面パネル１１の下部中央に隙間ができるようにする。
【００３２】
そして、このブランクを組み立てて、胴部の底部を閉鎖するに際し、正面フラップ３６を差込みフラップ３５とともにサイドフラップ３１，３２の上に倒すと、図７で示した場合と同様に、正面フラップ３６の先端部分が切込み線αに嵌まり、正面フラップ３６が係止する。このように、正面フラップ３６を倒すだけでロックが掛かるので、底部を簡単に閉鎖状態とすることができる。
【００３３】
以上、本発明の実施の形態について詳細に説明してきたが、本発明による折畳み式カートンは、上記実施の形態に何ら限定されるものではなく、本発明の趣旨を逸脱しない範囲において種々の変更が可能である。
【００３４】
例えば、カートンのデザインと大きく関係するが、前面パネル１３に窓孔を設け、その窓孔を通して背面フラップ３４あるいは正面フラップ３６の折りを確認できるような構成とすることもできる。
【００３５】
また、上記の実施形態では、縦長形状の折畳み式カートンを例に挙げたが、各部分のサイズに限定はなく、収納する内容物に応じて適宜の形状とすることができる。
【符号の説明】
【００３６】
１１  背面パネル
１２  左側面パネル
１３  正面パネル
１４  右側面パネル
１５  糊代片
２１，２２  サイドフラップ
２３  天面パネル
２４  差込みフラップ
３１，３２  サイドフラップ
３３  底面パネル
３４  背面フラップ
３５  差込みフラップ
３６  正面フラップ
α  切込み線
【図１】
2016030636.tif 000003
【図２】
2016030636.tif 000004
【図３】
2016030636.tif 000005
【図４】
2016030636.tif 000006
【図５】
2016030636.tif 000007
【図６】
2016030636.tif 000008
【図７】
2016030636.tif 000009
【図８】
2016030636.tif 000010
【図９】
2016030636.tif 000011
【図１０】
2016030636.tif 000012
【図１１】
2016030636.tif 000013
【図１２】
2016030636.tif 000014
【図１３】
2016030636.tif 000015